(57)【要約】【課題】退避位置において、上糸を開放させる為の手動操作の操作性を良好にする多針ミシンを提供を提供する。【解決手段】  中間位置を基部材に対して揺動自在に枢着してある押えレバーの一端は、基部材に対して押圧離反を自在にすると共に、常時は基部材と押えレバーの一端とで上糸を挟着可能に基部材に向けて付勢してあり、他端には指先で押えレバーの一端の浮上操作ができるように指圧部を具備させ、さらに、基部材には表側から裏側に向けて伝達杆を貫通させるための支持孔を備えさせると共に、押えレバーには伝達杆の前側部材を連結させる為の連結部を具備させ、支持孔では押えレバーの連結部に前側部材を連結させてある伝達杆の中間部を進退自在に支持させて、伝達杆の後方にある受動部を所定位置にある状態で保持し、針落孔上方位置に選択移動せられた場合には上記上糸解除機構における解除部材によって駆動できるようにした。【選択図】    図１
2010179060.tif 000002
【特許請求の範囲】
【請求項１】
基枠２には横方向に向けての往復動を自在に横動枠を備えさせ、
その横動枠に対しては、
夫々上下動自在にしてある複数の針棒が並設してある針棒機構と、
上糸供給手段から上記針棒機構に向けて供給される複数の上糸の通路に配置してある複数並設の天秤部材を備える天秤機構とを夫々装着し、
これらの針棒機構と天秤機構とを一体的に往復動させるようにし、
上記針棒機構における複数並設の針棒の内の１本の針棒を、上記横動枠を横動させることによって針落孔上方位置に選択移動させて上下駆動できるようにすると共に、他の針棒は退避位置に留め、かつ、
上記複数並設の天秤部材の内、上記針落孔上方位置に選択移動せられる１本の針棒に対して上糸を供給する為の天秤部材も針落孔上方位置に選択移動させて上記針落孔上方位置にある針棒と同期的に上下動させるようにしてあり、
さらに、上記各針棒における夫々の前側位置には、上記横動枠に連なる基部材によって夫々支承されていて、かつ、上記各天秤部材から各針棒の針に向かう上糸を夫々個別的に保持及び解除を自在にしてある複数の上糸保持機構が並設状態で備えられ、
更に、上記基枠２には、針落孔上方位置に選択移動せられた１本の針棒に係わる上糸保持機構の上糸保持の状態を解除する為の解除部材を具備する上糸解除機構を備えている多針ミシンにおいて、
上記各上糸保持機構は、上記基部材の前側位置において、中間位置を基部材に対して揺動自在に枢着してある押えレバーを備えさせ、その押えレバーの一端は、上記基部材に対して、押圧離反を自在にすると共に、常時は、上記基部材と押えレバーの一端とで両者間を通過する上糸を挟着可能に押えレバーの一端を上記基部材に向けて付勢してあり、他端には指先で、押えレバーの一端の浮上操作ができるように指圧部を具備させ、
さらに、基部材には、表側から裏側に向けて伝達杆を貫通させるための支持孔を備えさせると共に、
上記押えレバーには、押えレバーの枢着部を間にして指圧部とは反対側には、伝達杆の前側部材を連結させる為の連結部を具備させ、上記支持孔では、上記押えレバーの連結部に前側部材を連結させてある伝達杆の中間部を進退自在に支持させて、伝達杆の後方にある受動部を、所定位置にある状態で保持し、針落孔上方位置に選択移動せられた場合には上記上糸解除機構における解除部材によって駆動できるようにしてあることを特徴とする多針ミシン。        
【請求項２】
上記基部材と押えレバーの一端とで両者間を通過する上糸を挟着可能に押えレバーの一端を上記基部材に向けて付勢する為の手段は、
基部材から持出腕を持ち出し、持出腕によって押えレバーを支持する為の枢軸を支持し、その枢軸によって複数回巻き状態の巻きばねを、複数回の巻き状態の前側部分が前方に露出し、前側から上糸を巻きばねの素線の間に挟み込み可能な状態で支持し、巻きばねの一端は基部材に、他端は押えレバーの側に連携させてあることを特徴とする請求項１記載の多針ミシン。   
【請求項３】
上記 基部材に設けられた、伝達杆を貫通させるための支持孔の位置は、上記基部材に対向させて、基部材との間を通過する上糸を挟着可能にした押えレバーの存在位置を避けて、押えレバーの側方位置に設け、伝達杆は、その中間部を上記支持孔に進退自在に支持させると共に、伝達杆の前側部材は押えレバーの側方に連結させてあることを特徴とする請求項１記載の多針ミシン。   
【発明の詳細な説明】
【技術分野】
【０００１】
本発明は多針ミシンに関し、詳しくは多数の針棒を具備させておき、これら針棒を選択的に作動させて複数種の糸による刺繍縫いを行うようにした多針ミシンに関する。
【背景技術】
【０００２】
従来より、針棒を選択的に作動させて複数種の糸による刺繍縫いを行うようにした多針ミシンは、例えば特許文献１に示される多針ミシン等を含めて広く知られている。
図１、図２は本発明の実施例を示すものであるが、これらの図において以下に説明する構成は、特許文献１によって知られた構成である（ただし、天秤機構に係わる構成にあっては従来知られてない新規な構成が含まれている）。以下これらの図の内公知部分を用いて従来例を説明する。
基枠２には横方向に向けての往復動を自在に横動枠５を備えさせ、その横動枠５に対しては、夫々上下動自在にしてある複数の針棒１９が並設してある針棒機構１８と、上糸供給手段９から上記針棒機構１８に向けて供給される複数の上糸１４の通路に配置してある複数並設の天秤部材を備える天秤機構（特許文献１を含む公知の天秤機構）とを夫々装着し、これらの針棒機構１８と天秤機構とを一体的に往復動させるようにし、上記針棒機構１８における複数並設の針棒１９の内の１本の針棒１９を、上記横動枠５を横動させることによって針落孔上方位置に選択移動させて上下駆動できるようにすると共に、他の針棒１９は退避位置に留め、かつ、
上記複数並設の天秤部材の内、上記針落孔上方位置に選択移動せられる１本の針棒１９に対して上糸１４を供給する為の天秤部材も針落孔上方位置に選択移動させて上記針落孔上方位置にある針棒１９と同期的に上下動させるようにしてある。
【０００３】
さらに、上記各針棒１９における夫々の前側位置には、特許文献１の図４、即ち、本件において図１３として転記した図面に現れている上糸保持機構５９が備えさせてある。この上糸保持機構５９は、上記横動枠５に連なる状態で、各針棒１９の夫々の前側位置に配設された基部材5cによって夫々支承されている。複数の上糸保持機構５９は図２の上糸保持機構５９の場合と同様に並設状態で備えられ、上記各天秤部材３７から各針棒１９の針２０に向かう上糸１４を夫々個別的に保持及び解除を自在にしてある。
【０００４】
上記図１３の上糸保持機構５９にあっては、基部材5cは上記横動枠５に連なる状態で、各針棒１９の夫々の前側位置に配置されている（特許文献１参照）。伝達杆80nは、基部材5cに設けられている支持孔５ｇと、基部材5cから前方に向け突出してある持出部材90の自由端に備えさせてある受部材90bの孔90aとで進退自在に支持してある。
このように支持することにより、伝達杆80nの後方にある受動部80ａを、所定位置にある状態で保持し、１本の針棒１９が針落孔上方位置に選択移動せられた場合には、基枠の側に備える公知の上糸解除機構８２における解除部材85ｃ（図7参照）によって、伝達杆80nの後方にある受動部80ａを押し出し駆動できるようにしてある。
上記伝達杆80nには、持出部材90の中間位置に備えられている受片９１に上糸14を押圧することにより上糸14を保持したり、開放したりすることが出来るように押片９２が固着してある。この押片９２は常時ばね78nによって受片９１に圧接するように付勢されており、下側には、指先89で解放操作できるように指圧部92aが付設されている。
【０００５】
なお、特許文献１の図３には、本発明の実施例を示す図１、図２における以下の実施例に対応する上糸解除機構８２を備えている。即ち、基枠２における針落孔上方位置に選択移動せられた１本の針棒１９に係わる上糸保持機構５９の上糸保持の状態を解除する為の解除部材85ｃを具備する上糸解除機構８２に対応する機構を備えている。
【先行技術文献】
【特許文献】
【０００６】
【特許文献１】特公平６−９４６２２号公報
【発明の概要】
【発明が解決しようとする課題】
【０００７】
この従来の多針ミシンにおける図13に表れている構成の上糸保持機構５９においては、退避位置において、押片９２を矢印方向に後退させて上糸14を手動で移動させようとする場合、作業者の目から（図13の左側から）は、軸受の役割をしている受部材90bが邪魔になって直視することができず、手探り操作になるため操作能率が悪くなる問題点があった。
【０００８】
その上、進退自在の伝達杆80nに固着されている押片92は、持出部材90の中間位置に備えられている受片９１に対して強い力、即ち、縫製工程における糸替え時、横動枠を急激に移動させることによる大きな振動によって上糸１４が抜けないように強い力で一方向に付勢されているので、これを開放操作する為に、図13のようにして押片92の指圧部92aを手前に引き動かす指先作業は、指８９の細い婦女子にとっては、苦痛を伴う作業となる問題点があった。
【０００９】
さらに、上記指圧部92aは、上記基部材5cの支持孔５gと、受部材90bの孔90aとの間に設けられた進退自在の伝達杆80nに備えられたものであって、上記基部材5cと、受部材90bとの間に指先89を挿入して、進退操作するものであるから、そこには比較的大きなスペース（Ｌ8）を必要とし、その結果、受部材90bは、基部材5cの位置から大きく張り出す（Ｌ8の寸法だけ張り出す）状態になる。このことは、図１の前側（右側）の空間において通常行われる刺繍用の布の「布捌き作業」に大きく邪魔をする問題点があった。
【００１０】
本件出願の目的は、退避位置において、上糸を開放させるための手動操作の操作性を良好にする多針ミシンを提供しようとするものである。
他の目的は、上糸を開放させるための手動操作を軽快に行なうことができるようにした多針ミシンを提供しようとするものである。
他の目的は、複数の針棒が並設してある針棒機構において、それらの前面から前方に向けてあまり大きな突出物が出ないように考えられた多針ミシンを提供しようとするものである。
他の目的及び利点は図面及びそれに関連した以下の説明により容易に明らかになるであろう。
【課題を解決するための手段】
【００１１】
本発明における多針ミシンは、基枠２には横方向に向けての往復動を自在に横動枠５を備えさせ、その横動枠５に対しては、夫々上下動自在にしてある複数の針棒１９が並設してある針棒機構１８と、上糸供給手段９から上記針棒機構１８に向けて供給される複数の上糸１４の通路に配置してある複数並設の天秤部材３７を備える天秤機構３０とを夫々装着し、これらの針棒機構１８と天秤機構３０とを一体的に往復動させるようにし、
上記針棒機構１８における複数並設の針棒１９の内の１本の針棒１９を、上記横動枠５を横動させることによって針落孔上方位置に選択移動させて上下駆動できるようにすると共に、他の針棒１９は退避位置に留め、かつ、上記複数並設の天秤部材３７の内、上記針落孔上方位置に選択移動せられる１本の針棒１９に対して上糸１４を供給する為の天秤部材３７も針落孔上方位置に選択移動させて上記針落孔上方位置にある針棒１９と同期的に上下動させるようにしてあり、さらに、上記各針棒１９における夫々の前側位置には、上記横動枠５に連なる基部材5cによって夫々支承されていて、かつ、上記各天秤部材３７から各針棒１９の針２０に向かう上糸１４を夫々個別的に保持及び解除を自在にしてある複数の上糸保持機構５９が並設状態で備えられ、更に、上記基枠２には、針落孔上方位置に選択移動せられた１本の針棒１９に係わる上糸保持機構５９の上糸保持の状態を解除する為の解除部材85ｃを具備する上糸解除機構８２を備えている多針ミシンにおいて、上記各上糸保持機構５９は、上記基部材5cの前側位置において、中間位置を基部材5cに対して揺動自在に枢着してある押えレバー７０を備えさせ、その押えレバー７０の一端は、上記基部材5cに対して、押圧離反を自在にすると共に、常時は、上記基部材5cと押えレバー７０の一端とで両者間を通過する上糸１４を挟着可能に押えレバー７０の一端を上記基部材5cに向けて付勢してあり、他端には指先で、押えレバー７０の一端の浮上操作ができるように指圧部７５を具備させ、さらに、基部材5cには、表側から裏側に向けて伝達杆８０を貫通させるための支持孔５ｇを備えさせると共に、上記押えレバー７０には、押えレバー７０の枢着部７１を間にして指圧部７５とは反対側には、伝達杆８０の前側部材80ｃを連結させる為の連結部７６を具備させ、上記支持孔５ｇでは、上記押えレバー７０の連結部７６に前側部材80ｃを連結させてある伝達杆８０の中間部を進退自在に支持させて、伝達杆８０の後方にある受動部80ａを、所定位置にある状態で保持し、針落孔上方位置に選択移動せられた場合には上記上糸解除機構８２における解除部材85ｃによって駆動できるようにしたものである。
【００１２】
また好ましくは、上記基部材5cと押えレバー７０の一端とで両者間を通過する上糸１４を挟着可能に押えレバー７０の一端を上記基部材5cに向けて付勢する為の手段は、基部材5cから持出腕5eを持ち出し、持出腕5eによって押えレバー７０を支持する為の枢軸5fを支持し、その枢軸5fによって複数回巻き状態の巻きばね78を、複数回の巻き状態の前側部分が前方に露出し、前側から上糸１４を巻きばね78の素線の間に挟み込み可能な状態で支持し、巻きばね78の一端78ａは基部材5cに、他端78ｂは押えレバー７０の側に連携させたものであればよい。
【００１３】
また好ましくは、上記 基部材5cに設けられた、伝達杆８０を貫通させるための支持孔５ｇの位置は、上記基部材5cに対向させて、基部材5cとの間を通過する上糸１４を挟着可能にした押えレバー７０の存在位置を避けて、押えレバー７０の側方位置に設け、伝達杆８０は、その中間部80ｂを上記支持孔５ｇに進退自在に支持させると共に、伝達杆８０の前側部材80ｃは押えレバー７０の側方に連結させたものであればよい。
【発明の効果】
【００１４】
以上のように本発明は、 各針棒１９の夫々の前側位置に、各天秤部材３７から各針棒１９に向かう上糸１４を夫々個別的に保持できるようにしてある上糸保持機構５９を並設状態で備えるものであるから、縫製中は、退避位置にある複数の針棒１９については、夫々天秤部材３７から針２０に向かう上糸１４が保持され、各針棒１９の針孔から抜脱するのを防止できる効果がある。
【００１５】
その上、針落孔上方位置に選択移動せられた１本の針棒１９に係わる上糸保持機構５９の上糸保持の状態は、これを解除する為の解除部材85ｃを具備する上糸解除機構８２によってその保持を解除して、上糸１４を天秤部材３７から針２０へ向けて移動可能にして速やかに縫製に供することのできる効果がある。
【００１６】
さらに、退避位置に針棒が位置する状態では、上記のように各上糸１４は夫々に対応して備えさせてある上糸保持機構５９によって個別的に保持されているものであるが、上記各上糸保持機構５９には、指先で、押えレバー７０の一端にある上糸１４の挟着部分７２を浮上操作ができるように指圧部７５を具備させてあるので、ミシン休止中においても上糸保持機構５９による保持状態を任意に解除して、上糸１４を天秤部材３７から針２０へ向けて移動操作できる作業上の利点もある。
【００１７】
さらに本発明は、指先で、押えレバー７０の一端にある上糸１４の挟着部分７２を浮上操作をする場合に、上記指圧部７５は、図８のように前面側に露出する構成であるから、作業時、正確にかつ、速やかに操作のできる作業上の利便もある。
【００１８】
その上、押えレバー７０の一端にある上糸１４の挟着部分７２は、縫製工程における糸換時、横動枠５を急激に移動させることによる大きな振動によって、上糸１４が針孔から抜けないように強い力で一方向に付勢されていても、
これの浮上（持上げ）操作は、押えレバー７０の他端に指圧部７５を備えさせて、梃子の原理を利用して、軽い押圧力で、上糸１４の挟着部分７２の浮上（持上げ）操作ができるようにしてあるので、婦女子でも細い指先の押圧操作で、上糸１４の挟着部分７２の浮上（持上げ）操作ができるという作業上の利点がある。
【００１９】
さらに本発明は上記のように、各針棒が退避位置にある状態で、各上糸１４の保持ができるように夫々上糸保持機構５９を具備させると共に、夫々の上糸保持機構５９については押えレバー７０を用いての指先操作による開放が出来るようにし、更に、針落孔上方位置に選択移動せられた１本の針棒１９に係わる上糸保持機構５９については、解除部材85ｃを具備する上糸解除機構８２の作動により上糸１４の保持を解除可能に構成するものであるが、各上糸保持機構５９における押えレバー７０を、上糸解除機構８２の解除部材85ｃで操作する為の伝達杆８０を支持する為の構成は、伝達杆８０の中間部を基部材5cの支持孔５ｇで支持し、伝達杆８０の前側を支持孔５ｇに近接させた押えレバー７０の連結部７６で支持して、伝達杆８０の後方にある受動部80ａを上記所定位置にある状態で保持し、針落孔上方位置に選択移動せられた場合には、上糸解除機構８２における解除部材85ｃによって駆動できるようにしてあるので、基部材5cの支持孔５ｇから、前方に向けて突出する伝達杆８０の突出部80ｄの突出寸法Ｌ６は、極めて僅かで足りる特長がある。
このことは、伝達杆８０の前側80ｃを支持する為の上記連結部７６の位置を基部材5cの近くに設定することを可能にして、上糸保持機構５９の前側への出っ張りを小さくして、作業者がミシンの表側で、布捌きをする時の作業に支障をきたすことのないようにすることができる画期的な作業上の効果がある。
【００２０】
さらに、請求項２の構成によれば、基部材5cと押えレバー７０の一端とを、複数回巻き状態の巻きばね78の強いばね力で押圧して両者間を通過する上糸１４の抜け止めを信頼性高く行うことができると共に、その複数回巻き状態の巻きばね78を利用して、休止針棒における針の針孔に挿通された上糸の糸端14ａを手軽に挟んで保持させることにも利用できるという兼用効果もある。
【００２１】
さらに、請求項３の構成によれば、基部材5cと押えレバー７０の一端との間を通過する上糸１４と、押えレバー７０の開放操作をする為の伝達杆８０は相互に離れているので、上糸１４に毛羽状の長い毛足があったとしても、それが進退する伝達杆８０に巻き込まれる等の不測の事態はなく、上糸１４の進行、停止を正確に行える効果がある。  
【図面の簡単な説明】
【００２２】
【図１】多針ミシン１を説明する為の断面図
【図２】多針ミシン１を説明する為の正面図
【図３】図２におけるIII−III線位置の破断図
【図４】表面カバー３１を説明する為の断面図
【図５】概略斜視図
【図６】（Ａ）は、図３におけるVIA−VIA線破断図、（Ｂ）は図３におけるVIB−VIB線破断図。
【図７】退避位置の針棒１９に係る上糸保持機構５９説明用破断図
【図８】上糸保持機構５９を説明する為の一部破断した斜視図
【図９】針落孔上方位置の針棒１９に係る上糸保持機構５９を説明する為の破断図
【図１０】上糸保持機構５９によって保持された上糸１４を指先８９で開放操作する動作を説明する為の破断図
【図１１】天秤部材３７と針棒１９と枠移動との周知の動作関係を説明する為の図。
【図１２】上糸保持機構の部分拡大した正面図。
【図１３】従来例を説明する為の部分断面図。
【発明を実施するための形態】
【００２３】
以下本発明の実施の形態を示す図面を用いて説明する。
図１は多針ミシン１を説明する為の断面図で、基枠２と上糸供給手段９と天秤装置１１と針棒装置１０と上糸保持装置１２の位置関係を説明する為の図。天秤部材３７が上死点位置Ｕにある状態を示す（下死点位置Ｄの天秤部材３７とその場合における伝達レバー５４及び揺動アーム５５の位置を一点鎖線で示す）。
なお、符号１３は周知の、退避位置の針棒における針から垂れ下がる上糸を保持する為の糸端保持機構の存在を示す。
図２は多針ミシン１を説明する為の正面図で、上糸供給手段９と、天秤装置１１における天秤機構３０と、針棒装置１１における針棒機構１８と、複数並設されている上糸保持機構５９の位置関係を説明する為の図。上糸供給手段９は一点鎖線でその存在を示す。
図３は、図２におけるIII−III線位置の破断図（針落孔３ａ上方に位置する天秤部材３７位置説明用の破断図）で、横動枠５と、天秤機構３０における表面カバー３１、天秤部材３７と保持手段４５と、天秤駆動手段５２における揺動アーム５５の関係を説明する為の図。下死点位置Ｄの天秤部材３７の存在を一点鎖線で示す。
図４は表面カバー３１を説明する為の断面図で、（Ａ）は図２におけるIVA−IVA線断面図、（Ｂ）は図２におけるIVB−IVB線断面図。
図５は、保持手段４５と、揺動アーム５５と、天秤部材３７の関係を説明する為の概略斜視図。
図６（Ａ）は、図３におけるVIA−VIA線破断図。複数並設された天秤部材３７と、天秤駆動手段５２における揺動アーム５５との関係、表面カバー５１に対する天秤部材３７の装着状態を説明する為の図。
図６（Ｂ）は図３におけるVIB−VIB線破断図。数並設された天秤部材３７と、保持手段４５との関係、表面カバー５３に対する天秤部材３７の装着状態を説明する為の図。
図７は、退避位置の針棒１９に係る上糸保持機構５９説明用破断図で、上糸保持機構５９と、上糸１４と、針棒１９における針２０との関係を説明する為の図。（なお、上糸解除機構８２は非作動状態を示す）
図８は、上糸保持機構５９を説明する為の一部破断した斜視図で、上糸保持機構５９における基部材５ｃと、それに枢着支持された押えレバー７０と、伝達杆８０の関係を説明する為の図。
図９は、針落孔上方位置の針棒１９に係る上糸保持機構５９を説明する為の破断図で、上糸保持機構５９と上糸解除機構８２との関係および動作を説明する為の図。
図１０は、退避位置の針棒１９において、上糸保持機構５９によって保持された上糸１４を指先８９で開放操作する動作を説明する為の破断図。
図１１は天秤部材３７と針棒１９と枠移動との周知の動作関係を説明する為の図。
【００２４】
図１、２において、２は多針ミシン１における基枠、３はベッド、３ａは針落孔を示し、４は周知の主軸を示す。５は基枠２に対して横方向（図２の矢印６６方向）へ向けての往復動自在に備えさせた横動枠を示す。横動枠５は、周知の構成、例えば自体の引掛部材５bを基枠２におけるガイドレール６に載せると共に、引っ掛け爪５ａを基枠２における係合爪2aに係わり合いさせる等して図２の矢印６６方向へ向けての往復動を自在に構成してある。７は横動枠５に連結された横動駆動軸で、複数の針棒１９の内の１本の針棒１９を針落孔位置に対して選択移動させる（当然のことながら天秤機構３０の天秤部材３７も一体的に移動させる）場合に、周知の駆動手段で矢印６６の方向に往復動させるようにしてある。なお、多針ミシン１が複数台並列している場合は、周知のように上記横動駆動軸７は、夫々の横動枠５に連結されており、複数台の多針ミシンにおける横動枠５は連動する。
【００２５】
多針ミシン１は図１，２の如く（周知の如く）、夫々上下動自在にしてある複数（図においては、１５本のものを示す）の針棒１９が並設してある針棒機構１８を備える針棒装置１０と、上記複数の針棒１９に向けて夫々上糸１４を供給する為の上糸供給手段９を備えている。さらに、上糸供給手段９から上記針棒機構１８との間における夫々の上糸の通路１５には、複数の天秤部材３７が並設してある天秤機構３０を備える天秤装置１１を配置してある。
多針ミシン１は、周知のように、上記針棒機構１８における複数並設の針棒１９の内の１本の針棒１９を、上記横動枠５を横動させることによって針落孔上方位置に選択移動させて上下駆動できるようにすると共に、他の針棒１９は退避位置に留め、かつ、上記複数並設の天秤部材３７の内、上記針落孔上方位置に選択移動せられる１本の針棒１９に対して上糸１４を供給する為の天秤部材３７も針落孔上方位置に選択移動させて上記針落孔上方位置にある針棒１９と同期的に（図１１に示すように関連動作させて）上下動させるようにしてある。
なお、上糸１４は周知のように、上糸供給手段９から糸道16ａ、16ｂ、４１、16ｃの順に通されて針２０の針孔20ａへ向けて案内されている。
【００２６】
次に、上記針棒装置１０について説明する。
図１，２に示されるように、針棒装置１０は、横動枠５に備えさせた針棒機構１８と、基枠２に備えさせた針棒駆動手段２３を備える。
針棒機構１８において、１９は横動枠５に対して上下動可能に支持される複数の針棒、２０は針を示す。２１は係合部で、針棒駆動手段２３における昇降体２９の係合ピン29ａと係合する為の係合溝21aを備える。２２は周知の布押え部材を示す。
【００２７】
次に、上記針棒駆動手段２３は、上記針棒機構１８における複数並設の針棒１９の内、上記横動枠５を横動させることによって、針落孔３ａ上方位置に選択移動せられる１本の針棒を選択的に上下駆動できるようにしてある。針棒駆動手段２３は周知の任意の構成であれば良く、例えば、主軸４が回動すると、偏心カム２４、クランクロッド２５も連動し、リンク２６が軸26ａを中心にして揺動する。この動きは、レバー２７を介して昇降体２９に伝達され、昇降体２９は基枠２に取付けられた案内棒２８に沿って上下動する。昇降体２９の係合ピン29ａは、針落孔上方位置に選択的に移動された針棒１９係合溝21aに掛合していることにより、針棒機構１８における複数の針棒１９の内、針落孔３ａ上方位置に選択的に移動された針棒１９を上下動させる。
【００２８】
次に、天秤装置１１について説明する。天秤装置１１としては、前述したように針棒１９の動作に同期的に動作するものであればよく、例えば特開平１０−２４９０８５号を含めて公知の天秤装置を開いてもよいが、念の為、１例を以下に説明する。
天秤装置１１は、基枠２に備えさせた天秤駆動手段５２と、横動枠５に備えさせた天秤機構３０とを備えている。
天秤駆動手段５２は、並列状態の天秤部材３７の内、上記針落孔上方位置に選択移動せられる１本の針棒に対して上糸を供給する為の天秤部材３７を、選択的に上下駆動するための揺動アーム５５を有している。
天秤駆動手段５２は周知の任意の構成であれば良く、例えば、主軸４が回動すると、天秤カム５３も連動し、カム溝53ａに嵌合している伝達レバー５４の一端54ｂが揺動し、伝達レバー５４が軸54aを中心にして揺動する。この動きは、駆動子54ｃと受動部５７を介して揺動アーム５５に伝達され、揺動アーム５５は、揺動軸５６を軸に揺動する。この動きにより、連係部５８は連繋部４２に着脱自在に嵌合していることにより、天秤部材３７を図１に示されるように所定の上下振幅寸法Ｌ１の範囲内で上下動させる。
【００２９】
天秤機構３０は、表面カバー３１と、天秤部材３７と、保持手段４５とを備える。
表面カバー３１は、例えば図１、２の如く天秤機構３０の表面を覆える広さに構成されており、正面からの形状は図２、側面（断面）からの形状は図１に示されるような弯曲させた構成にしてある。この図において、31ａはフレーム部分、31bは上糸の暴れ防止部分を示し、材質としては、周知の硬質材（例えば、金属材料、合成樹脂材等）で一体的に形成されている。表面カバー３１の板厚としては、例えば２〜３mm程度にすればよい。
表面カバー３１の横動枠に対する連結は、表面カバー３１の上部にある連結部３５の取付け孔35ａを用いてビスなど任意の固着具で横動枠５に着脱自在に連結されている。さらに、表面カバー３１の下端３６を、横動枠５に装着された針棒カバー８の上側に形成されている凹溝８ａに差し込んだ状態で係合させて連結させてある（図３参照）。これにより、表面カバー３１は横動枠５と共に一体的に往復動する。
【００３０】
上記暴れ防止部分31ｂにおいては、案内条３４を複数並設状態で備えさせてある。この案内条３４は、案内溝３３の両側の側方に形成してある（図２、図６参照）。
上記複数並設状態で備えている糸道案内部材支持用の各案内条３４は、天秤部材３７を上下方向に向けて少なくとも「所定の上下振幅寸法Ｌ１」が得られる区間案内できるように、長く形成してある。
表面カバー３１に形成されている案内条３４の曲率は、図３における揺動アーム５５の軸５６の軸心56ａを中心にした円弧に沿わせて形成してある。従って、天秤部材３７が案内条３４の曲面に沿って上下動するときの連繋部４２と、軸心56ａとの距離は常に一定になる。なお、針棒装置１０において設置されるように揺動運動を直線運動に変換する為の装置（例えば昇降体２９のような機構）を伝達レバー５４と連繋部４２との間に介在させる場合は、上記表面カバー３１は直線状態であってもよい。
表面カバー３１に形成されている複数並設状態の案内溝３３の間に存在する上糸暴れ防止用の各表面部材３２は、案内条３４に沿って上下動する天秤部材３７が急速な上下動をすることによって、上糸が暴れる状態になっても、上糸の暴れを表面カバー３１における表面部材３２でもって受け止めて上糸の暴れを和らげることができる。
【００３１】
次に、上記表面カバー３１における複数並設状態の表面部材３２を支持する為のフレーム部分31ａは、図２に表れているように表面カバー３１の上部に備えさせ、複数並設の各表面部材３２の下部を自由端にしたが、これと異なり、上記表面カバー３１における下部に備えさせて複数並設の表面部材３２を下部で連結させる状態で支持しても良い。また上部のフレーム部分31ａを省略して、複数並設の各表面部材３２の上部を自由端にして、溝５５の上方を開放させてもよい。
【００３２】
次に、上記天秤機構３０における複数並設された天秤部材３７は、夫々の基体部３８の表側には上記上糸案内用の糸道部材４０を備えている。４１は糸道部材４０に形成された糸道を示す。上記天秤部材３７の裏側には、上記揺動アーム５５に対向したときに、揺動アーム５５の上下方向への揺動によって上下方向に向けて往復動作できるように、連係部５８に対して係合離脱を自在にする連繋部４２を備える。
【００３３】
上記糸道部材４０と連繋部４２との間に位置する基体部３８は、上記複数並設状態の表面カバー３１における案内条３４に対して、夫々案内条３４に案内されての「所定の上下振幅寸法Ｌ１」の上下動を自在に装着してある。
具体的には、図５、図６（Ａ）（Ｂ）に示される３９は基体部３８に対して凹溝状に形成した遊嵌部を示す。遊嵌部３９は、上記表面カバー３１における案内溝３３の両側の案内条３４に対して係合可能な対応形状に形成されており、図６（Ａ）（Ｂ）のように案内条３４に係合した状態で装着されている。天秤部材３７は、所定の曲率に形成された案内条３４に沿って「所定の上下振幅寸法Ｌ１」の間を上下動する。
【００３４】
天秤部材３７は、周知の硬質材料（例えば、比重が小さくて、丈夫な合成樹脂材・軽金属材で一体的に形成されている。天秤部材３７の表面側の糸道部材４０の表面カバー３１からの突出寸法は、従来と同様に小さく形成できる。さらに、裏側に備える連繋部４２の長さ寸法は、揺動アーム５５の連係部５８に嵌合できるだけの短小な長さがあれば足りる。天秤部材３７の全長Ｌ３は（例えば、26〜29mm程度）に形成してある。
【００３５】
上記天秤機構３０における保持手段４５は、上記複数並設状態の案内条３４によって夫々上下動自在に装着支持してある複数の天秤部材３７の内、針落孔上方位置にある天秤部材３７を除く他の天秤部材３７を、上昇位置Ｕにおいて下降しないように保持する為のものである。
具体的には、図１、３，５，６（Ｂ）の４６は、保持手段４５としての保持部材を示し、基枠２に対して装着、例えば固着部４９の取付孔を用いてビスなど任意の固着具で固着されている。保持部材４６において、４７は板状の掛止部で、周知のように天秤機構３０の横動範囲に亘る長さに対応する長さに形成されている。４８は掛止部４７に形成された切欠状の非掛止部を示し、図３，６に示されるように、針落孔上方に位置する天秤部材３７の係止部４３に対応する位置に形成されている。その巾寸法Ｗ２は、図６（Ｂ）のように、天秤部材３７の係止部４３が通過できる範囲で狭く設定して、針落孔上方位置に選択される一つの天秤部材３７の係止部４３の上下動を阻止しないようにしてある。
一方、前述の揺動アーム５５の連係部５８は、掛止部４７の非掛止部４８の下側に配置されていて、その巾寸法Ｗ１は、連繋部４２の巾寸法よりも広くして、針落孔上方位置に移動してくる天秤部材３７又は、針落孔上方位置から左方向、又は右方向に逃げた位置、即ち、退避位置に向かう天秤部材３７が不用意に脱落しないようにしてある。
複数並設の天秤部材３７の内、針落孔上方位置に選択される一つの天秤部材３７は、揺動アーム５５の揺動に伴って上下動され、それ以外の退避位置の天秤部材３７は、図６（Ｂ）のように、係止部４３と掛止部４７が嵌合して上昇位置Ｕに維持される。
【００３６】
次に、多針ミシン１における上糸保持装置１２について説明する。上糸保持装置１２は、横動枠５に備えさせた複数の上糸保持機構５９と、基枠２に備えさせた上糸解除機構８２を備える。
複数の上糸保持機構５９は、図１、２，７，８に示されるように、上記各針棒１９における夫々の前側位置に並設状態で備えられており、上記横動枠５に連なる基部材5cの前面によって夫々支承されていて、かつ、上記各天秤部材３７から各針棒１９の針２０に向かう上糸１４を夫々個別的に保持及び解除を自在にしてある。
基部材５ｃは、図示の如く、連結部５ｄの取付け孔をビスなど任意の固着具でもって横動枠５に対して連結されている。なお横動枠５が特許文献１に示される保持体のような横動自在の構成であってもその外周に添って装着し、その前面に上糸保持機構５９を構成すればよい。次に、５ｆは押えレバー７０を支持する為の枢軸を示し、図７，８に示されるように、基部材５ｃから表側に持ち出された持出腕５ｅによって支持されている。５ｇは基部材５ｃの表側から裏側に向けて伝達杆８０を貫通させる為の支持孔を示す。５ｊは付勢ばね７８の一端78ａを位置させる透孔を示す。
【００３７】
上記各上糸保持機構５９は、図７，８に示されるように、上記基部材５ｃの前側位置において、中間位置を基部材５ｃに対して揺動自在に枢着してある押えレバー７０を備えている。その押えレバー７０の一端70ａは、上記基部材５ｃに対して、押圧離反を自在にすると共に、常時は、上記基部材５ｃの受部５ｈと押えレバー７０の一端70ａにおける挟着部分７２とで両者間を通過する上糸１４を挟着可能に押えレバー７０の一端70ａを上記基部材５ｃに向けて付勢してある。
具体的には、７１は押えレバー７０の略中間位置に形成された枢着部で、枢軸５ｆに対して貫通孔71ａ挿通させて装着し、枢軸５ｆを中心に回動自在にしてある。枢着部１１の位置は、押えレバー７０を基部材５ｃに対して押圧離反を自在にできるような位置であればよく、押えレバー７０の一端70ａと他端70ｂの間の適当な任意の位置に形成すればよい。
上記基部材５ｃと押えレバー７０の一端70ａとで両者間を通過する上糸１４を挟着可能に押えレバー７０の一端を上記基部材5cに向けて付勢する為の手段は、周知の付勢手段を用いればよい。周知の付勢手段としては、例えば板ばねを用いる付勢手段、さらに、横動枠５と押えレバー７０との間に引っ張りばねを配設して付勢するようにしてもよい。
さらに、上記基部材5cと押えレバー７０の一端とで、両者間を通過する上糸１４を挟着可能に押えレバー７０の一端を上記基部材5cに向けて付勢する為の手段は、図示のようにしてもよい。即ち、基部材5cから持出腕5eを持ち出し、持出腕5eによって押えレバー７０を支持する為の枢軸5fを支持し、その枢軸5fによって複数回巻き状態の巻きばね78を、複数回の巻き状態の前側部分が前方に露出して、前側から上糸１４を巻きばね78の素線78ａの間に挟み込み可能な状態で支持し、図７、８に示されるように、巻きばね78の一端78ａは基部材5cにおける透孔５ｊに、他端78ｂは押えレバー７０の側に連携させるようにしてもよい。押えレバー70における７４は、巻きばね78の一端78ａを挿通させる為の貫通孔７４を示す。
このように構成した場合には、前面側に露出する複数回巻き状態の巻きばね78を利用して、図１２に示されるように、休止針棒における針の針孔に挿通された上糸の糸端14ａを素線78ａと素線78ａの間に手軽に挟んで保持させる上糸掛けとしても兼用することができる。
【００３８】
押えレバー７０の他端70ｂには指先８９で、押えレバー７０の一端70ａの浮上操作ができるように指圧部７５を具備させてある。指圧部７５の外形形状は、図示のように表側から指先８９で押圧し易いような形状に形成すればよい。
さらに、上記押えレバー７０には、押えレバー７０の枢着部７１を間にして指圧部７５とは反対側に、伝達杆８０の前側部材80ｃを連結させる為の連結部７６を具備させてある。７３は、糸道16ｃから針２０へ向かう上糸１４を、受部５ｈと挟着部分７２との間を通過するように案内する為の透孔状の糸ガイド部を示す。７７は、指圧部７５を指先８９で押圧する場合、図１０のように押えレバー７０と基部材５ｃ間を上糸１４を通過させることができる位置に押えレバー７０の回動停止させる為のストッパを示す。
なお、押えレバー７０における指圧部７５と、挟着部分７２及び連結部７６の相互の位置関係は、枢着部７１を間にして相互に対称的に配置すればよく、前述したものとは上下逆位置、即ち、押えレバー７０における上側に指圧部７５を配置させ、枢着部７１を間にして指圧部７５とは反対側（下側）に、挟着部分７２及び連結部７６を配置してもよい。
【００３９】
次に８０は、上糸解除機構８２における解除部材85ｃの動きを押えレバー７０に伝達する為の伝達杆を示す。伝達杆８０の支持は、上記支持孔５ｇでは、上記押えレバー７０の連結部７６に前側部材80ｃを連結させてある伝達杆８０の中間部を進退自在に支持させて、伝達杆８０の後方にある受動部80ａを所定位置にある状態で保持してある。伝達杆８０は、針落孔上方位置に選択移動された針棒１９に係る上糸保持機構５９が、針落孔上方位置に移動せられた場合には、図９に示されるように上記上糸解除機構８２における解除部材85ｃによって駆動できるようにしてある。
このように伝達杆８０の支持をするようにしたので、基部材5cの支持孔５ｇから前方に向けて突出する伝達杆８０の突出部80ｄの突出寸法Ｌ６は、極めて僅かで足りる特長がある。
【００４０】
次に、伝達杆８０を貫通させて支持する為の支持孔５ｇの位置は、図７〜１０に示されるように、上記基部材5cに対向させて、基部材5cとの間を通過する上糸１４を挟着可能にした押えレバー７０の存在位置を避けて、押えレバー７０の側方位置に設け、伝達杆８０は、その中間部80ｂを上記支持孔５ｇに進退自在に支持させると共に、伝達杆８０の前側部材80ｃは押えレバー７０の側方に連結させてもよい。
このように構成した場合には、基部材5cと押えレバー７０の一端との間を通過する上糸１４と、押えレバー７０の開放操作をする為の伝達杆８０は相互に離れているので、上糸１４に毛羽状の長い毛足があったとしても、それが進退する伝達杆８０に巻き込まれる等の不測の事態はなく、上糸１４の進行、停止を正確に行える。 
【００４１】
次に、上糸解除機構８２は、針落孔上方位置に選択移動せられた１本の針棒１９に係わる上糸保持機構５９の上糸保持の状態を解除する為の解除部材85ｃを具備している。
上糸解除機構８２において、図７、９に示される８３はソレノイド、８４はそのプランジャを示す。８５は軸85ａでもって基枠２に枢着してあるレバーを示す。
ソレノイド８３の作動によって、プランジャ８４は図７の矢印87方向へ突出し、レバー８５を矢印方向に揺動させる。これにより、解除部材85ｃは矢印方向に動いて、図９のように、伝達杆８０の受動部80ａを押出駆動する。
【００４２】
上記構成の上糸保持装置１２における上糸保持機構５９および上糸解除機構８２の動作について説明する。
縫製工程において、退避位置にある複数の針棒１９については、図７に示されるように、夫々天秤部材３７から針２０に向かう上糸１４は、基部材５ｃの受部５ｈと押えレバー７０の挟着部分７２とで挟着状態で保持され、上糸１４の上下動は阻止される。よって、縫製工程において糸替え時、横動枠５の急激な横動によって振動があっても、各針棒１９の針孔から抜脱するのを防止できる。
一方、針落孔上方位置に選択移動せられた１本の針棒１９に係わる上糸保持機構５９の上糸保持の状態は次の通りである。前述したように、上糸解除機構８２におけるソレノイド３６の作動によって、解除部材85ｃが伝達杆８０の受動部80ａを押出駆動する。それにより、図９に示されるように、基部材５ｃの受部５ｈから押えレバー７０の挟着部分７２は離反してその保持を解除する。よって、上糸１４を天秤部材３７から針２０へ向けて移動可能になり、縫製に供することができる。
次に、多針ミシン１の休止中における退避位置の針棒１９について、天秤部材３７から針２０に向かう上糸１４を移動させる為に上糸１４の保持状態を個別に解除する場合の操作について説明する。
図７のように、上糸保持機構５９における指圧部７５に指先８９を当てて矢印方向に押す。すると、図１０に示されるように、押えレバー７０の挟着部分７２は基部材５ｃの受部５ｈから離反して浮上し、上糸１４の保持状態は解除され、針２０へ向けて移動が可能になる。
この作業をする場合、指圧部７５は、図７，８のようにミシン１の前面側に表出しているので、正確にかつ、速やかに操作できる。さらに、この浮上（持上げ）操作は、押えレバー７０の他端（挟着部分７２とは枢軸を挟んで反対側）に指圧部７５を備えさせて、梃子の原理を利用して上糸１４の挟着部分７２の浮上（持上げ）操作ができるようにしてあるので、婦女子でも細い指先の押圧操作で、上糸１４の挟着部分７２の浮上（持上げ）操作ができる利点がある。
【符号の説明】
【００４３】
１・・・多針ミシン、２・・・基枠、３・・・ベッド、３ａ・・・針落孔、４・・・主軸、５・・・横動枠、5c・・・基部材、5k・・・ワッシャ、６・・・ガイドレール、７・・・横動駆動軸、８・・・針棒カバー、９・・・上糸供給手段、１０・・・針棒装置、１１・・・天秤装置、１２・・・上糸保持装置、１３・・・糸端保持機構、 １４・・・糸、１５・・・通路、１８・・・針棒機構、１９・・・針棒、２０・・・針、２１・・・係合部、２２・・・布押え部材、２３・・・針棒駆動手段、２４・・・偏心カム、２５・・・クランクロッド、２６・・・リンク、２７・・・レバー、２８・・・案内棒、２９・・・昇降体、３０・・・天秤機構、３１・・・表面カバー、３２・・・表面部材、３３・・・案内溝、３４・・・案内条、３５・・・連結部、３６・・・下端、３７・・・天秤部材、３８・・・基体部、３９・・・遊嵌部、４０・・・糸道部材、４１・・・糸道、４２・・・連繋部、４３・・・係止部、４５・・・保持手段、４６・・・保持部材、４７・・・掛止部、４８・・・非掛止部、４９・・・固着部、５２・・・天秤駆動手段、５３・・・天秤カム、５４・・・伝達レバー、５５・・・揺動アーム、５６・・・軸、５７・・・受動部、５８・・・連係部、５９・・・上糸保持機構、７０・・・押えレバー、７１・・・枢着部、７２・・・挟着部、７３・・・糸ガイド部、７４・・・貫通孔、７５・・・指圧部、７６・・・連結部、７７・・・ストッパ、７８・・・付勢ばね、８０・・・伝達杆、80ａ・・・受動部、80ｂ・・・中間部、80ｃ・・・前側部、80ｄ・・・突出部、８２・・・上糸解除機構、８３・・・ソレノイド、８４・・・プランジャ、８５・・・レバー、85c・・・解除部材
【図１】
2010179060.tif 000003
【図２】
2010179060.tif 000004
【図３】
2010179060.tif 000005
【図４】
2010179060.tif 000006
【図５】
2010179060.tif 000007
【図６】
2010179060.tif 000008
【図７】
2010179060.tif 000009
【図８】
2010179060.tif 000010
【図９】
2010179060.tif 000011
【図１０】
2010179060.tif 000012
【図１１】
2010179060.tif 000013
【図１２】
2010179060.tif 000014
【図１３】
2010179060.tif 000015